(57)【要約】  チャイルド・レジスタント梱包体およびその構成要素が開示されている。開示されたチャイルド・レジスタント梱包体の１つは、使用される危険物質を支持する支持体と、支持体により支持された危険物質へのアクセスを選択的に阻止する構造体であって、支持体は、危険物質へのアクセスが構造体によって阻止される安全位置と、危険物質がアクセス可能に構造体から解除されるアクセス位置との間で、構造体に対して第１の方向に移動可能である、構造体と、支持体の安全位置からの移動が防止される係合状態と、支持体が安全位置からアクセス位置の方へ移動可能な解除状態との間で、使用者によって移動可能な少なくとも１つのラッチ部材と、使用者によって構造体に対して第１の方向とは異なる第２の方向に移動可能なタブ部材であって、タブ部材は、支持体と連結されてラッチ部材が解除状態のときに支持体を安全位置から第１の方向へ移動させる、タブ部材とを備える。別のチャイルド・レジスタント梱包体は、安全位置において付随するラッチ部材とともに操作可能であり、付随するラッチ部材を係合状態と解除状態との間で移動させる、少なくとも１つの隠蔽カバーを備える。
2010536671.tif 000002
【特許請求の範囲】
【請求項１】
チャイルド・レジスタント梱包体であって、
使用される危険物質を支持する支持体と、
前記支持体により支持された危険物質へのアクセスを選択的に阻止する構造体であって、前記支持体は、前記危険物質へのアクセスが前記構造体によって阻止された安全位置と、前記危険物質がアクセス可能に前記構造体から解除されたアクセス位置との間で、前記構造体に対して第１の方向に移動可能である、構造体と、
前記支持体が前記安全位置から移動することが防止された係合状態と、前記支持体が前記安全位置から前記アクセス位置の方へ移動可能である解除状態との間で、使用者によって移動可能な少なくとも１つのラッチ部材と、
前記使用者によって前記構造体に対して前記第１の方向とは異なる第２の方向に移動可能なタブ部材であって、前記タブ部材は、前記支持体に連結され、前記ラッチ部材が前記解除状態のときに前記支持体を前記安全位置から前記第１の方向へ移動させる、タブ部材と
を備えるチャイルド・レジスタント梱包体。
【請求項２】
使用者による両手操作に適合された請求項１に記載の梱包体であって、
前記タブ部材は、前記ラッチ部材が前記使用者の一方の手で前記解除状態に移動されたときに、前記使用者の他方の手で移動可能である
ことを特徴とする梱包体。
【請求項３】
前記請求項のいずれかに記載の梱包体であって、
前記第１および第２の方向は、相互に対向している
ことを特徴とする梱包体。
【請求項４】
前記請求項のいずれかに記載の梱包体であって、
前記タブ部材は、前記支持体を前記構造体から離れるように移動させるために、前記構造体から離れる方向に移動可能である
ことを特徴とする梱包体。
【請求項５】
請求項４に記載の梱包体であって、
前記構造体は、対向する両側を画定し、
前記タブ部材は、前記構造体の一方の側から離れる方向に移動可能であることで、前記支持体を前記構造体の反対の側から離れる方向に移動させる
ことを特徴とする梱包体。
【請求項６】
前記請求項のいずれかに記載の梱包体であって、
第１および第２のラッチ部材を備え、
各ラッチ部材は、前記支持体が前記安全位置から移動することが防止された係合状態と、前記支持体が前記安全位置から前記アクセス位置の方に移動可能である解除状態との間で、使用者によって移動可能である
梱包体。
【請求項７】
請求項６に記載の梱包体であって、
前記第１および第２のラッチ部材は、使用者の親指と人差し指との間できつく握る動作で前記係合状態から前記解除状態に移動可能なように適合されている
ことを特徴とする梱包体。
【請求項８】
請求項６または請求項７に記載の梱包体であって、
前記第１および第２のラッチ部材は、相互に一体化されている
ことを特徴とする梱包体。
【請求項９】
前記請求項のいずれかに記載の梱包体であって、
前記または各ラッチ部材は、前記タブ部材のグリップに対向する、前記構造体の一方側にある
ことを特徴とする梱包体。
【請求項１０】
前記請求項のいずれかに記載の梱包体であって、
前記または各ラッチ部材は、前記係合状態に弾性的に付勢されている
ことを特徴とする梱包体。
【請求項１１】
前記請求項のいずれかに記載の梱包体であって、
前記または各ラッチ部材は、ライブ・ヒンジを備える
ことを特徴とする梱包体。
【請求項１２】
前記請求項のいずれかに記載の梱包体であって、
前記または各ラッチ部材は、使用者の指で押される形状のボタン形成物を備える
ことを特徴とする梱包体。
【請求項１３】
前記請求項のいずれかに記載の梱包体であって、
前記または各ラッチ部材は、前記係合状態において前記梱包体の前記構造体に係合するショルダー部を備える
ことを特徴とする梱包体。
【請求項１４】
前記請求項のいずれかに記載の梱包体であって、
前記または各ラッチ部材は、前記支持体と前記構造体との間で動作する
ことを特徴とする梱包体。
【請求項１５】
請求項１４に記載の梱包体であって、
前記または各ラッチ部材は、前記支持体により支持されている
ことを特徴とする梱包体。
【請求項１６】
請求項１５に記載の梱包体であって、
前記または各ラッチ部材は、前記係合状態において前記支持体の外壁より突出している
ことを特徴とする梱包体。
【請求項１７】
請求項１６に記載の梱包体であって、
前記解除状態において、前記または各ラッチ部材は、前記外壁と実質的に同一面にあり、且つ、前記支持体内に収納される
ことを特徴とする梱包体。
【請求項１８】
請求項１５〜１７のいずれかに記載の梱包体であって、
前記または各ラッチ部材は、前記支持体と一体化されたばねアームを備える
ことを特徴とする梱包体。
【請求項１９】
請求項１〜１３のいずれかに記載の梱包体であって、
前記または各ラッチ部材は、前記支持体と、前記係合状態で移動可能にまたは離脱可能に前記構造体に取り付けられて前記支持体の前記アクセス位置への移動を阻止するバリア部材との間で動作する
ことを特徴とする梱包体。
【請求項２０】
請求項１９に記載の梱包体であって、
前記または各ラッチ部材は、前記バリア部材により支持される
ことを特徴とする梱包体。
【請求項２１】
請求項１９または請求項２０に記載の梱包体であって、
前記または各ラッチ部材は、前記バリア部材が前記構造体とスナップ式で係合可能に構成されている
ことを特徴とする梱包体。
【請求項２２】
請求項２０または請求項２１に記載の梱包体であって、
前記または各ラッチ部材は、前記係合状態において前記バリア部材の中央パネルより突出している
ことを特徴とする梱包体。
【請求項２３】
請求項２２に記載の梱包体であって、
前記中央パネルは、前記または各ラッチ部材が前記解除状態のときに、前記バリア部材の最大幅を画定する
ことを特徴とする梱包体。
【請求項２４】
前記請求項のいずれかに記載の梱包体であって、
前記タブ部材は、ベルト部材により前記支持体に連結され、
前記ベルト部材は、前記構造体の仕切りを巻回する
ことを特徴とする梱包体。
【請求項２５】
請求項２４に記載の梱包体であって、
前記または各ラッチ部材は、前記係合状態において、前記支持体の前記安全位置から前記第１の方向への移動を防止し、
前記ベルト部材および前記仕切りは、前記支持体の前記安全位置から前記第２の方向への移動を防止する
ことを特徴とする梱包体。
【請求項２６】
前記請求項のいずれかに記載の梱包体であって、
前記タブ部材は、格納手段を備える
ことを特徴とする梱包体。
【請求項２７】
前記請求項のいずれかに記載の梱包体であって、
前記タブ部材は、グリップ形成物を備える
ことを特徴とする梱包体。
【請求項２８】
前記請求項のいずれかに記載の梱包体であって、
前記支持体は、ブリスター・パックを支持する格納トレイを備える
ことを特徴とする梱包体。
【請求項２９】
前記請求項のいずれかに記載の梱包体であって、
前記または各ラッチ部材は、前記支持体と一体化して成形されている
ことを特徴とする梱包体。
【請求項３０】
格納トレイであって、
少なくとも１つのラッチ部材を有し、前記ラッチ部材が係合状態と解除状態との間で移動可能なキャリッジと、
前記キャリッジに取り付けられたブリスター・パックであって、１つまたは複数のブリスターを備える、ブリスター・パックと
を備え、
前記キャリッジは、前記取付けられたブリスター・パックの前記または各ブリスターにアクセス可能なように構成されている
ことを特徴とする格納トレイ。
【請求項３１】
請求項３０に記載の格納トレイであって、
前記キャリッジは、
前記ブリスター・パックを支持するフレームと、
前記ブリスター・パックの前記または各ブリスターへのアクセスが可能な、前記フレーム内の中央開口部と
を備えることを特徴とする格納トレイ。
【請求項３２】
請求項３０または請求項３１に記載の格納トレイであって、
前記キャリッジは、
第１および第２の壁と、
前記第１および第２の壁とそれぞれ一体化された第１および第２のラッチ部材であって、各ラッチ部材は、係合状態と解除状態との間で移動可能である、第１および第２ラッチ部材と
を備えることを特徴とする格納トレイ。
【請求項３３】
請求項３２に記載の格納トレイであって、
前記第１および第２のラッチ部材は、前記第１および第２のラッチ部材の係合状態において、前記第１および第２のラッチ部材の各々の壁より突出して、各々の突出部を形成する
ことを特徴とする格納トレイ。
【請求項３４】
請求項３２または請求項３３に記載の格納トレイであって、
前記第１および第２のラッチ部材は、前記第１および第２のラッチ部材の解除状態において、前記第１および第２のラッチ部材の壁と実質的に同一面にある
ことを特徴とする格納トレイ。
【請求項３５】
ブリスター・パック用キャリッジであって、
前記キャリッジは、
１つまたは複数のブリスターを有するブリスター・パックを支持するフレームと、
前記フレームと一体化された少なくとも１つのラッチ部材であって、前記ラッチ部材は、係合状態と解除状態との間で移動可能な、少なくとも１つのラッチ部材と
を備え、
前記フレームは、使用される前記フレームにより支持されたブリスター・パックの前記または各ブリスターにアクセス可能なように構成されている
ことを特徴とするキャリッジ。
【請求項３６】
チャイルド・レジスタント梱包体であって、
使用される危険物質を支持する支持体と、
前記支持体により支持された危険物質へのアクセスを選択的に阻止する構造体であって、前記支持体は、前記危険物質へのアクセスが前記構造体により阻止される安全位置と、前記危険物質がアクセス可能に前記構造体から解除されるアクセス位置との間で、前記構造体に対して第１の方向に移動可能な、構造体と、
前記支持体が前記安全位置から移動することが防止された係合状態と、前記支持体が前記安全位置から前記アクセス位置の方へ移動可能な解除状態との間で、使用者により移動可能な少なくとも１つのラッチ部材と、
前記安全位置において付随するラッチ部材とともに操作可能であり、前記付随するラッチ部材を前記係合状態と前記解除状態との間で移動させる、少なくとも１つの隠蔽カバーと
を備える梱包体。
【請求項３７】
請求項３６に記載の梱包体であって、
前記または各隠蔽カバーは、弾力性があり、前記付随するラッチ部材と共に操作することは、前記隠蔽カバーの弾性変形を含む
ことを特徴とする梱包体。
【請求項３８】
請求項３７に記載の梱包体であって、
前記または各隠蔽カバーは、前記付随するラッチ部材の位置を示すマーキングを備える
ことを特徴とする梱包体。
【請求項３９】
請求項３６〜３８のいずれかに記載の梱包体であって、
前記または各隠蔽カバーは、前記構造体により支持されている
ことを特徴とする梱包体。
【請求項４０】
請求項３９に記載の梱包体であって、
前記または各隠蔽カバーは、前記構造体の外面と実質的に同一面にある
ことを特徴とする梱包体。
【請求項４１】
請求項３９または請求項４０に記載の梱包体であって、
前記または各隠蔽カバーは、前記構造体と一体化されている
ことを特徴とする梱包体。
【請求項４２】
請求項４１に記載の梱包体であって、
前記または各隠蔽カバーは、前記構造体の外壁と一体化され、
前記構造体は、前記係合状態において、前記支持体の付随するラッチ部材とともに操作するための留め金形成物を有する内壁を備える
ことを特徴とする梱包体。
【請求項４３】
請求項４２に記載の梱包体であって、
前記構造体の前記外壁は、前記構造体の前記内壁を覆う
ことを特徴とする梱包体。
【請求項４４】
請求項４２または請求項４３に記載の梱包体であって、
前記留め金形成物は、前記内壁に開口部を備える
ことを特徴とする梱包体。
【請求項４５】
請求項４２〜４４のいずれかに記載の梱包体であって、
前記構造体の前記外壁および前記内壁は、一体化されている
ことを特徴とする梱包体。
【請求項４６】
請求項４５に記載の梱包体であって、
前記構造体は、折り曲げられたブランクから形成されたスリーブを備え、
前記外壁および前記内壁は、前記ブランクの折り目により画定されている
ことを特徴とする梱包体。
【請求項４７】
請求項３６〜４６に記載の梱包体であって、
前記または各隠蔽カバーは、板紙から構成される
ことを特徴とする梱包体。
【請求項４８】
請求項３６〜４７に記載の梱包体であって、
各ラッチ部材は、付随する隠蔽カバーを備える
ことを特徴とする梱包体。
【請求項４９】
使用者による両手操作に適合された請求項３６〜４８のいずれかに記載の梱包体であって、
前記支持体は、前記または各ラッチ部材が前記使用者の一方の手によって前記解除状態に移動されたときに、前記使用者の他方の手で移動可能である
ことを特徴とする梱包体。
【請求項５０】
請求項３６〜４９のいずれかに記載の梱包体であって、
第１および第２のラッチ部材を備え、
各ラッチ部材は、前記支持体の前記安全位置からの移動が防止された係合状態と、前記支持体が前記安全位置から前記アクセス位置の方へ移動可能な解除状態との間で、使用者により移動可能である梱包体。
【請求項５１】
請求項５０に記載の梱包体であって、
前記第１および第２のラッチ部材は、使用者の親指と人差し指との間できつく握る動作で、前記第１および第２のラッチ部材の前記係合状態から前記第１および第２のラッチ部材の前記解除状態へ移動可能なように適合されている
ことを特徴とする梱包体。
【請求項５２】
請求項５０または請求項５１に記載の梱包体であって、
前記第１および第２のラッチ部材は、相互に一体化されている
ことを特徴とする梱包体。
【請求項５３】
請求項３６〜５２のいずれかに記載の梱包体であって、
前記または各ラッチ部材は、前記係合状態へ弾性的に付勢されている
ことを特徴とする梱包体。
【請求項５４】
請求項３６〜５３のいずれかに記載の梱包体であって、
前記または各ラッチ部材は、ライブ・ヒンジを備える
ことを特徴とする梱包体。
【請求項５５】
請求項３６〜５４のいずれかに記載の梱包体であって、
前記または各ラッチ部材は、前記または各ラッチ部材を前記解除状態に案内する傾斜を備える
ことを特徴とする梱包体。
【請求項５６】
請求項３６〜５５のいずれかに記載の梱包体であって、
前記または各ラッチ部材は、前記係合状態で前記梱包体の前記構造体に係合するショルダー部を備える
ことを特徴とする梱包体。
【請求項５７】
請求項３６〜５６のいずれかに記載の梱包体であって、
前記または各ラッチ部材は、前記支持体と前記構造体との間で動作する
ことを特徴とする梱包体。
【請求項５８】
請求項５７に記載の梱包体であって、
前記または各ラッチ部材は、前記支持体により支持されている
ことを特徴とする梱包体。
【請求項５９】
請求項５８に記載の梱包体であって、
前記または各ラッチ部材は、前記係合状態において前記支持体の外壁よりも突出している
ことを特徴とする梱包体。
【請求項６０】
請求項５９に記載の梱包体であって、
前記または各ラッチ部材は、前記解除状態において、前記外壁と実質的に同一面にあり、且つ、前記支持体内に収納されている
ことを特徴とする梱包体。
【請求項６１】
請求項５８〜６０のいずれかに記載の梱包体であって、
前記または各ラッチ部材は、前記支持体と一体化したばねアームを備える
ことを特徴とする梱包体。
【請求項６２】
請求項３６〜５７のいずれかに記載の梱包体であって、
前記または各ラッチ部材は、前記支持体と、前記係合状態において前記構造体に移動可能にまたは離脱可能に取り付けられて、前記支持体の前記アクセス位置への移動を阻止するバリア部材との間で動作する
ことを特徴とする梱包体。
【請求項６３】
請求項６２に記載の梱包体であって、
前記または各ラッチ部材は、前記バリア部材に支持されている
ことを特徴とする梱包体。
【請求項６４】
請求項６２または請求項６３に記載の梱包体であって、
前記または各ラッチ部材は、前記バリア部材がスナップ式で前記構造体と係合可能に構成されている
ことを特徴とする梱包体。
【請求項６５】
請求項６３または請求項６４に記載の梱包体であって、
前記または各ラッチ部材は、前記係合状態において前記バリア部材の中央パネルよりも突出している
ことを特徴とする梱包体。
【請求項６６】
請求項６５に記載の梱包体であって、
前記中央パネルは、前記または各ラッチ部材が解除状態のときに、前記バリア部材の最大幅を画定する
ことを特徴とする梱包体。
【請求項６７】
請求項３６〜６６のいずれかに記載の梱包体であって、
前記支持体は、ブリスター・パックを支持する格納トレイを備える
ことを特徴とする梱包体。
【請求項６８】
請求項３６〜６７のいずれかに記載の梱包体であって、
前記使用者によって前記構造体に対して前記第１の方向とは異なる第２の方向に移動可能なタブ部材をさらに備え、
前記タブ部材は、前記支持体に連結されて、前記または各ラッチ部材が前記解除状態のときに前記支持体を前記安全位置から前記第１の方向へ移動させる梱包体。
【請求項６９】
使用者による両手操作に適合された請求項６８に記載の梱包体であって、
前記タブ部材は、前記ラッチ部材が前記使用者の一方の手で前記解除状態に移動されたときに、前記使用者の他方の手で移動可能である
ことを特徴とする梱包体。
【請求項７０】
請求項６８または請求項６９に記載の梱包体であって、
前記第１および第２の方向は、互いに対向している
ことを特徴とする梱包体。
【請求項７１】
請求項６８〜７０のいずれかに記載の梱包体であって、
前記タブ部材は、前記支持体を前記構造体から離れる方向へ移動させるために、前記構造体から離れる方向に移動可能である
ことを特徴とする梱包体。
【請求項７２】
請求項７１に記載の梱包体であって、
前記構造体は、対向する両側を画定し、
前記タブ部材は、前記構造体の１つの側から離れる方向に移動可能であることにより、前記支持体を前記構造体の対向する側から離れる方向に移動させる
ことを特徴とする梱包体。
【請求項７３】
請求項６８〜７２のいずれかに記載の梱包体であって、
前記または各ラッチ部材は、前記タブ部材のグリップに対向する、前記構造体の１つの側にある
ことを特徴とする梱包体。
【請求項７４】
請求項７３に記載の梱包体であって、
前記グリップは、指穴または指状ウェルを備える
ことを特徴とする梱包体。
【請求項７５】
請求項６８〜７４のいずれかに記載の梱包体であって、
前記タブ部材は、ブリスター・パック用支持体のような格納手段を備える
ことを特徴とする梱包体。
【請求項７６】
請求項６８〜７５のいずれかに記載の梱包体であって、
前記タブ部材は、ベルト部材により前記支持体に連結され、
前記ベルト部材は、前記構造体の仕切りを巻回する
ことを特徴とする梱包体。
【請求項７７】
請求項７６に記載の梱包体であって、
前記または各ラッチ部材は、前記係合状態において、前記支持体の前記安全位置からの前記第１の方向への移動を防止し、
前記ベルト部材および前記仕切りは、前記支持体の前記安全位置からの前記第２の方向への移動を防止する
ことを特徴とする梱包体。
【発明の詳細な説明】
【発明の詳細な説明】
【０００１】
本発明は、物品の梱包に使用され得る箱等の梱包体に関する。具体的には、本発明は、子供または責任能力のない大人から安全に保管されなければならない、例えば医薬品または家庭用化学品等の、潜在的に危険な物質を格納するチャイルド・レジスタント（対小児安全）梱包体に関するが、チャイルド・レジスタント梱包体に限定されない。
【０００２】
医薬品や家庭用化学品等の潜在的に危険な物質の安全な格納は、幼い子供を持つ家庭にとって長い間問題となってきていた。親は、病気を迅速かつ容易に治療することができるように広範囲の医薬品へのアクセスを希望し、且つ、例えば家を掃除するために家庭用化学品を必要とする一方で、子供は、子供から目が離れているときに、生まれながらに持っている好奇心によって、上記物質を探し出して摂取することがあり得る。子供が上記物質を摂取することは、深刻な結果をはらみ得る。例えば、ほとんどのあらゆる医薬品の過量摂取は、健康に有害である。実際には、医薬品の中には子供に全く適さず、たとえ非常に少量の接触または摂取であっても子供の健康に悪影響を及ぼすものがある。洗剤や殺鼠剤等の家庭用化学品を含む他の非医薬物質からも同様の危険が生じる。
【０００３】
単純化のため、上述のような潜在的に危険な物質は、以下、単に「危険物質」と称する。さらに、上述の問題は、子供に限らず、例えば精神病患者や精神障害者、または梱包体の内容物を混乱しがちとなり得る高齢者などといった、責任能力のない、または忘れやすい大人についても生じ得る。本明細書の焦点は子供に当てられているが、ここで述べられていることの大半は、責任能力のない、または忘れやすい大人にも同様に適用されることが理解されるであろう。このような類似点は全て、たとえ子供のみを参照している場合であっても、本明細書の範囲内である。
【０００４】
危険物質の危険性を考慮すると、危険物質は子供の手の届かない場所に保管されなければならない。危険物質が子供の手の届かない場所に保管されなければならないことは、基本的に重要な慣行であり、チャイルド・レジスタント・クロージャ（ＣＲＣ）により強化され得るが決して取って代わることのできない慣行である。ＣＲＣは、梱包された形態の危険物質へのアクセスを子供が得ようとした場合に、子供が梱包体から危険物質を取り出すことをより困難にする。
【０００５】
多くのＣＲＣ設計が過去に提案されてきた。しかしながら、ＣＲＣ設計者たちは常に、子供が開封しにくい梱包体が大人にとっても困難な場合が多いという矛盾に取り組まなければならない。事実、工学物理科学研究協議会（Ｅｎｇｉｎｅｅｒｉｎｇ  ａｎｄ  Ｐｈｙｓｉｃａｌ  Ｓｃｉｅｎｃｅｓ  Ｒｅｓｅａｒｃｈ  Ｃｏｕｎｃｉｌ）の定期刊行物での２００４年の報告によると、大人の最大９０％がＣＲＣを開封するのに苦労している。大人の最大９０％がＣＲＣを開封するのに苦労していることの驚くべき結果は、大人が安全でない容器に危険物質を移すことが多いということであり、このような慣行は、中毒事故の大きな割合を占めていると考えられる。
【０００６】
さらなる問題は、周知のＣＲＣは、構造が複雑で、製造に費用がかかる場合が多いことである。梱包の費用は一般的に消費者に転嫁されるため、入手可能であれば非レジスタント梱包の製品を消費者が購入するようになるので、中毒事故等のリスクが上昇する。
【０００７】
本発明の目的は、従来技術に付随する少なくとも１つの問題点を解決または軽減することである。
第１局面から、本発明は、広くは、チャイルド・レジスタント梱包体に関し、
使用される危険物質を支持するための支持体と、
前記支持体により支持された危険物質へのアクセスを選択的に阻止するための構造体であって、前記支持体は、前記危険物質へのアクセスが前記構造体によって阻止される安全位置と、前記危険物質がアクセス可能に前記構造体から解除されるアクセス位置との間で、前記構造体に対して第１の方向に移動可能な、構造体と、
前記支持体が前記安全位置から移動することが防止された係合状態と、前記支持体が前記安全位置から前記アクセス位置の方へ移動可能な解除状態との間で、使用者によって移動可能な少なくとも１つのラッチ部材と、
前記使用者によって前記構造体に対して前記第１の方向とは異なる第２の方向に移動可能なタブ部材であって、前記タブ部材は、前記支持体に連結され、前記ラッチ部材が前記解除状態のときに前記支持体を前記安全位置から前記第１の方向へ移動させる、タブ部材と
を備えている。
【０００８】
本発明の第１局面に係る梱包体は、有効なチャイルド・レジスタンスを提供する。具体的には、本発明の第１局面の梱包体は、支持体へのアクセスを得るために２つの同時の動作、即ち（ｉ）ラッチ部材の解除と（ｉｉ）タブ部材の第２方向への移動とを必要とする開封順序を可能にする。特に、支持体に連結されたタブ部材は、支持体が移動する第１の方向と（予想外に）異なる第２方向に移動可能であるため、ラッチ部材とタブ部材とは相乗作用して、チャイルド・レジスタンスを提供する。
【０００９】
特に高いレベルのチャイルド・レジスタンスを提供するためには、梱包体は、好ましくは使用者による両手操作に適合されてもよく、この場合、使用者の一方の手でラッチ部材を解除状態に移動させたとき、使用者のもう一方の手でタブ部材を移動させることができる。この両手操作は、高齢者または病弱者には比較的容易であるが、子供にとっては困難である。両手操作は、タブ部材の支持体への予想外の連結を理解する必要がある。したがって、ＣＲＣ設計者が直面してきた矛盾に対処する。
【００１０】
好適には、第１および第２の方向の間の違いに付随する予期しない驚きを最大化するため、第１および第２の方向を相互に対向させてもよい。
好ましくは、構造体から離れるように支持体を動かすために、タブ部材は構造体から離れるように移動可能であってもよい。例えば、構造体は好適に、対向する両側を画定してもよく、且つタブ部材が構造体の一つの側から離れるように移動可能であることにより支持体が構造体の反対の側から離れるように移動してもよい。このような構成は、タブ部材と支持体との間の距離を最大化するのを助けるので、梱包体の操作がより予期せぬものとなり、チャイルド・レジスタンスが強化される。
【００１１】
便利には、梱包体は、第１および第２ラッチ部材を含んでもよく、各ラッチ部材は、支持体が安全位置から移動することが防止された係合状態と、支持体が安全位置からアクセス位置の方へ移動することが可能な解除状態との間で、使用者によって移動可能である。ラッチ部材の数を増やせば、それだけチャイルド・レジスタンスは強化される。本願発明者らは、２つのラッチ部材がチャイルド・レジスタンスと高齢者および病弱者のアクセス性との間の最適な妥協点を実現することを発見した。しかしながら、本発明はラッチ部材のあらゆる特定の数に限定されない。
【００１２】
好適には、第１および第２のラッチ部材は、使用者の親指と人差し指との間できつく握る動作で係合状態から解除状態に移動可能なように適合されてもよい。このように適合された場合、第１および第２のラッチ部材は相乗作用し、各部品の和よりもさらに強化されたチャイルド・レジスタンスを提供する。具体的には、親指と人差し指との間できつく握る動作は、子供にとっては手が小さいため障害となるが、大人は解除することが比較的容易であることに気づく。きつく握る動作は、タブ部材を支持体へ連結することに付随する驚きと組み合わせると特に有効である。
【００１３】
製造を容易且つ経済的にするため、第１および第２のラッチ部材は、互いに一体化されてもよい。第１および第２のラッチ部材は、例えば格納トレイまたは安全クリップ等の単一の成形プラスチック部品上に支持されてもよい。
【００１４】
梱包体内の部品数を最小化するため、前記または各ラッチ部材は、ライブ・ヒンジ（ｌｉｖｅ  ｈｉｎｇｅ）を好適に備えてもよい。
前記または各ラッチ部材は、タブ部材のグリップに対向する、構造体の１つの側寄りにあってもよい。チャイルド・レジスタンスは、タブ部材のグリップと前記または各ラッチ部材との間の距離に正比例する。したがって、構造体の対向する両側に前記または各ラッチ部材とグリップとを提供することにより、このチャイルド・レジスタンスの局面は最大化される。
【００１５】
好適には、前記または各ラッチ部材は、係合状態に弾性的に付勢されてもよい。
使用者に便利なインターフェースを提供するため、前記または各ラッチ部材は、使用者の指で押下される形状のボタン形成物を含んでもよい。
【００１６】
好ましくは、前記または各ラッチ部材は、係合状態において梱包体の構造体と係合するショルダー部を含んでもよい。
前記または各ラッチ部材は、好適に、支持体と構造体との間で動作してもよい。便利には、前記または各ラッチ部材は、係合状態において支持体に支持されてもよく、且つ任意に支持体の外壁より突出してもよい。追加的または代替的に、支持体が安全位置から移動可能なように、前記または各ラッチ部材は、解除状態において、任意に外壁と実質的に同一面となり支持体内に収容されてもよい。
【００１７】
好ましくは、前記または各ラッチ部材は、支持体と一体化したばねアームを含んでもよい。支持体と一体化したばねアームを含むことは、特に便利で高コスト効率の解決策である。
【００１８】
前記または各ラッチ部材は、支持体と構造体との間で動作する代わりに、支持体とバリア部材との間で動作してもよく、このバリア部材は、係合状態において、移動可能に、または離脱可能に構造体に取り付けられて、支持体のアクセス位置への移動を阻止する。そして、前記または各ラッチ部材は、バリア部材に有利に支持されてもよい。好適には、前記または各ラッチ部材は、バリア部材が構造体とスナップ式で係合するように構成されてもよい。
【００１９】
便利には、前記または各ラッチ部材は、係合状態においてバリア部材の中央パネルよりも突出してもよい。この中央パネルは、前記または各ラッチ部材が解除状態のときに、バリア部材の最大幅を好適に画定してもよい。
【００２０】
タブ部材の支持体への予期しない連結は、好ましくは構造体の仕切りを巻回するベルト部材によって行ってもよい。ベルト部材と仕切りとは、ラッチ部材と相乗作用で梱包体のチャイルド・レジスタンスに貢献してもよい。具体的には、前記または各ラッチ部材は、係合状態において支持体の安全位置から第１の方向への移動を有利に防止し得る一方で、ベルト部材と仕切りとは、支持体の安全位置から第２の方向への移動を防止し得る。
【００２１】
梱包体のタブ部材は、様々な形態をとってもよい。梱包体のタブ部材は、単純な板紙パネル、または好適には、格納手段を含んでもよい。第１の方向への移動を支援するため、タブ部材は、好ましくは、高齢者や病弱者の梱包体へのアクセスを向上させる指穴等のようなグリップ形成物を含んでもよい。
【００２２】
梱包体の支持体は、ブリスター・パック、または好ましくは、ブリスター・パックを支持する格納トレイを備えてもよい。前記または各ラッチ部材は、格納トレイまたは別のタイプの支持体と一体化して成形されてもよい。
【００２３】
第２の局面から、本発明は、広くは格納トレイに関し、この格納トレイは、少なくとも１つのラッチ部材を有するキャリッジであって、ラッチ部材は、係合状態と解除状態との間で移動可能なキャリッジと、前記カートリッジに取り付けられたブリスター・パックであって、ブリスター・パックは１つまたは複数のブリスターを含むブリスター・パックとを備え、キャリッジは取り付けられたブリスター・パックの前記または各ブリスターへアクセス可能に構成されている。
【００２４】
本発明の第２局面に係る格納トレイは、チャイルド・レジスタント梱包体に危険物質を保持するための、好適で高コスト効率の解決策を提供する。本発明に係る第２局面の格納トレイは、少なくとも１つのラッチ部材により、ブリスター・パック内に格納された危険物質のチャイルド・レジスタント格納を可能にするとともに、チャイルド・レジスタント梱包体からブリスター・パックを取り外すことなく、必要なときに危険物質に容易にアクセスすることを可能にする。
【００２５】
好適には、キャリッジは、ブリスター・パックを支持するフレームと、ブリスター・パックの前記または各ブリスターへのアクセスを可能にする、フレーム内の中央開口部とを含んでもよい。中央開口部を含むフレームは、アクセス性に影響を及ぼすことなくブリスター・パックに最大支持力を提供する。
【００２６】
好ましくは、キャリッジは、第１および第２の壁と、前記第１および第２の壁とそれぞれ一体化された第１および第２のラッチ部材であって、各ラッチ部材は、係合状態と解除状態との間で移動可能な第１および第２のラッチ部材とを備えてもよい。一体化されたラッチ部材は、格納トレイの高コスト効率の製造を容易にする。さらに、ラッチ部材の数が増えれば、それだけチャイルド・レジスタンスが強化される。本願発明者らは、２つのラッチ部材が、チャイルド・レジスタンスと高齢者および病弱者にとってのアクセス性との間の最適な妥協点となることを発見した。しかしながら、本発明は、ラッチ部材のあらゆる特定の数に限定されない。
【００２７】
特にチャイルド・レジスタント様式で格納トレイを格納することを可能にするため、第１および第２のラッチ部材は、係合状態において当該第１および第２のラッチ部材のそれぞれの壁よりも突出し、それぞれの突出部を形成してもよい。追加的または代替的に、第１および第２のラッチ部材は、好ましくは解除状態において当該第１および第２のラッチ部材のそれぞれの壁と実質的に同一面であってもよい。
【００２８】
第３局面から、本発明は広くは、ブリスター・パック用キャリッジに関し、このキャリッジは、１つまたは複数のブリスターを有するブリスター・パックを支持するフレームと、前記フレームと一体化された少なくとも１つのラッチ部材であって、ラッチ部材は係合状態と解除状態との間で移動可能な、少なくとも１つのラッチ部材とを備え、フレームは、使用されるフレームにより支持されるブリスター・パックの前記または各ブリスターにアクセス可能であるように構成されている。
【００２９】
本発明の第２局面に係る格納トレイの利点は、本発明の第３局面のキャリッジに準用する。
第４局面から、本発明は広くは、チャイルド・レジスタント梱包体に関し、このチャイルド・レジスタント梱包体は、
使用される危険物質を支持する支持体と、
前記支持体により支持される危険物質へのアクセスを選択的に阻止する構造体であって、前記支持体は、前記危険物質へのアクセスが前記構造体により阻止される安全位置と、前記危険物質がアクセス可能に前記構造体から解除されたアクセス位置との間で、前記構造体に対して第１の方向に移動可能である、支持体と、
前記支持体が前記安全位置から移動することが防止された係合状態と、前記支持体が前記安全位置から前記アクセス位置の方へ移動可能な解除状態との間で、使用者により移動可能な少なくとも１つのラッチ部材と、
前記安全位置において付随するラッチ部材とともに操作可能であり、前記付随するラッチ部材を前記係合状態と前記解除状態との間で移動させる少なくとも１つの隠蔽カバーと
を備えている。
【００３０】
本発明の第４局面に係る梱包体は、隠蔽カバーによりチャイルド・レジスタンスを提供する。支持体を安全位置から移動させるには、付随するラッチ部材とともに前記または各隠蔽カバーが操作可能であり、ラッチ部材を解除状態に移動させ、次に支持体をアクセス位置に移動させる必要があることを使用者はまず理解しなければならない。このような理解は、子供にはないであろう。
【００３１】
前記または各隠蔽カバーは、好ましくは柔軟性があってもよく、且つ付随するラッチ部材との操作は、隠蔽カバーの弾性変形を便利に含んでもよい。これは、隠蔽カバーとラッチ部材との間の協働操作を確実にする特に簡素且つ有効な方法である。
【００３２】
子供にとって開けることが困難な梱包体は大人にとっても困難である場合が多いという矛盾に対処する一助となるように、前記または各隠蔽カバーは、付随するラッチ部材の位置を示すマーキングを含んでもよい。このマーキングは、例えば、文字を含んでもよく、この文字は、例えば、構造体上に印刷され、ラッチ部材を解除状態に移動させる方法についての注意書きと任意に組み合わされてもよい。したがって、前記または各隠蔽カバーは、ラッチ部材の位置を示しながら、付随するラッチ部材を隠蔽することができる。また、より一般的には、前記または各隠蔽カバーは、付随するラッチ部材を完全に隠蔽する必要はなく、例えばラッチ部材を部分的にのみ隠蔽することも可能であろう。
【００３３】
前記または各隠蔽カバーは、任意に構造体によって支持されてもよい。好ましくは、前記または各隠蔽カバーは、構造体の外面と実質的に同一面にあってもよい。
製造を容易にするため、前記または各隠蔽カバーは、構造体と一体化されてもよい。便利には、前記または各隠蔽カバーは、構造体の外壁と一体化されてもよく、且つ、構造体は、係合状態において支持体の付随するラッチ部材とともに操作する留め金形成物を有する内壁を含んでもよい。構造体の外壁は、好ましくは、構造体の内壁と重なってもよい。留め金形成物は、任意に、内壁に開口部を含んでもよい。
【００３４】
好適には、構造体の外壁と内壁とは一体化されてもよい。例えば、構造体は、好ましくは、折り曲げられたブランクから形成されたスリーブを含んでもよく、且つ、外壁および内壁は、ブランクの折り目によって画定されてもよい。これにより、梱包体を特に効率的に製造することができる。
【００３５】
前記または各隠蔽カバーは、適切には板紙から構成されてもよい。好ましくは、各ラッチ部材は、付随する隠蔽カバーを備えてもよい。
チャイルド・レジスタンスを強化するため、使用者の一方の手で前記または各ラッチ部材が解除状態に移動されたとき、使用者のもう一方の手で支持体を移動することができるように、梱包体は、使用者による両手操作に好適に適合されてもよい。
【００３６】
便利には、梱包体は、第１および第２のラッチ部材を含んでもよく、各ラッチ部材は、支持体が安全位置から移動することが防止された係合状態と、支持体が安全位置からアクセス位置の方へ移動可能である解除状態との間で、使用者によって移動可能である。ラッチ部材の数を増やせば、チャイルド・レジスタンスはそれだけ強化される。本願発明者らは、２つのラッチ部材がチャイルド・レジスタンスと高齢者および病弱者のアクセス性との間の最適な妥協点を実現することを発見した。しかしながら、本発明は、ラッチ部材のあらゆる特定の数に限定されない。
【００３７】
好適には、第１および第２のラッチ部材は、使用者の親指と人差し指との間できつく握る動作で、係合状態から解除状態に移動可能であるように適合されてもよい。このように適合された場合、第１および第２のラッチ部材は、相乗作用し、各部品の和よりもさらに強化されたチャイルド・レジスタンスがともに提供される。具体的には、親指と人差し指との間できつく握る動作は、子供にとっては手が小さいため困難となるが、大人は、解除することが比較的容易であると気づく。きつく握る動作は、隠蔽カバーの隠蔽効果と組み合わせると特に効果的である。
【００３８】
製造を容易且つ経済的にするため、第１および第２のラッチ部材は、互いに一体化されてもよい。第１および第２のラッチ部材は、例えば格納トレイ、安全クリップまたはタブ部材等の単一の成形プラスチック部品上に支持されてもよい。
【００３９】
好ましくは、前記または各ラッチ部材は、係合状態に弾性的に付勢されてもよい。追加的または代替的に、前記または各ラッチ部材は、任意に、ライブ・ヒンジ、および／または前記または各ラッチ部材を解除状態に案内する傾斜、および／または係合状態において梱包体の構造体に係合するショルダー部を含んでもよい。
【００４０】
前記または各ラッチ部材は、任意に、支持体と構造体との間で動作してもよい。便利には、前記または各ラッチ部材は、支持体に支持されてもよく、且つ、任意に係合状態において支持体の外壁より突出してもよい。追加的または代替的に、支持体が安全位置から移動可能なように、前記または各ラッチ部材は、任意に、解除状態において外壁と実質的に同一面にあってもよく、且つ支持体内に収容されてもよい。
【００４１】
好ましくは、前記または各ラッチ部材は、支持体と一体化されたばねアームを含んでもよい。支持体と一体化されたばねアームを含むことは、特に便利で高コスト効率の解決策を実現する。
【００４２】
前記または各ラッチ部材は、支持体と構造体との間で動作する代わりに、支持体と、係合状態において移動可能または離脱可能に支持体に取り付けられ、支持体のアクセス位置への移動を阻止するバリア部材との間で動作してもよい。そして、前記または各ラッチ部材は、好適にバリア部材に支持されてもよい。好適には、前記または各ラッチ部材は、バリア部材が構造体とスナップ式で係合可能に構成されてもよい。
【００４３】
便利には、前記または各ラッチ部材は、係合状態においてバリア部材の中央パネルより突出してもよい。この中央パネルは、前記または各ラッチ部材が解除状態のときのバリア部材の最大幅を好適に画定してもよい。
【００４４】
梱包体の支持体は、ブリスター・パック、または好ましくはブリスター・パックを支持する格納トレイを含んでもよい。上述のように、前記または各ラッチ部材は、格納トレイまたは別のタイプの支持体と一体化して成形されてもよい。
【００４５】
特に高いチャイルド・レジスタンスを提供するため、梱包体は、好ましくは使用者によって構造体に対して第１の方向とは異なる第２の方向に移動可能なタブ部材であって、タブ部材は、支持体に連結され、前記または各ラッチ部材が解除状態のとき、支持体を安全位置から第１の方向に移動させる、タブ部材をさらに含んでもよい。
【００４６】
タブ部材の存在は、チャイルド・レジスタンスをさらに強化する。具体的には、タブ部材の存在は、支持体へのアクセスを得るために２つの同時の動作、即ち（ｉ）ラッチ部材の解除と（ｉｉ）タブ部材の第２の方向への移動とを必要とする開封順序を可能にする。特に、支持体に連結されたタブ部材は、支持体が移動する第１の方向と（予想外に）異なる第２の方向に移動可能であるため、ラッチ部材、隠蔽カバー、およびタブ部材は相乗作用して、チャイルド・レジスタンスを提供する。
【００４７】
タブ部材が存在する場合、梱包体は、ラッチ部材が使用者の一方の手によって解除状態に移動されたとき、タブ部材が使用者のもう一方の手で移動可能であるように、好適に、使用者による両手操作に適合されてもよい。この両手操作は、高齢者または病弱者には比較的容易であるが、子供にとっては困難である。両手操作は、タブ部材の支持体への予期しない連結に対する理解を必要とする。したがって、ＣＲＣ設計者が直面してきた矛盾に対処する。
【００４８】
好適には、第１および第２の方向の間の違いに伴う驚きを最大化するため、第１および第２の方向を相互に対向させてもよい。
好ましくは、支持体が構造体から離れるように、タブ部材は構造体から離れる方向に移動可能であってもよい。例えば、構造体は、対向する両側を好適に画定してもよく、且つ、タブ部材は、構造体の一つの側から離れる方向に移動可能であることにより支持体が構造体の反対側から離れる方向に移動するようにしてもよい。タブ部材と支持体との間の距離が最大化するのを助けることにより、このような構成は、梱包体の操作をさらに驚くものとし、チャイルド・レジスタンスが強化される。
【００４９】
前記または各ラッチ部材は、タブ部材のグリップに対向する、構造体の１つの側寄りであってもよい。チャイルド・レジスタンスは、タブ部材のグリップと前記または各ラッチ部材との間の距離に正比例する。したがって、構造体の対向する両側に前記または各ラッチ部材とグリップとを提供することにより、このチャイルド・レジスタンスの局面は最大化される。高齢者または病弱者による梱包体の操作を容易にするため、グリップは指穴または指状ウェル（ｆｉｎｇｅｒ  ｗｅｌｌ）を含んでもよい。
【００５０】
好適には、梱包体の格納容量を２倍にするため、タブ部材は、ブリスター・パックの支持体等のような格納手段を含んでもよい。
より一般的には、タブ部材は、好ましくは、ベルト部材によって支持体に連結され、ベルト部材は構造体の仕切りを巻回してもよい。
【００５１】
ベルト部材および仕切りは、カバーおよびラッチ部材と相乗作用して、梱包体のチャイルド・レジスタンスに貢献し得る。具体的には、前記または各ラッチ部材は、好適に、係合状態において安全位置から第１の方向への支持体の移動を防止する一方で、ベルト部材および仕切りは、安全位置から第２の方向への支持体の移動を防止してもよい。
【００５２】
本発明の他の利点は、以下の説明から当業者にとっては明らかであろう。
本発明をより容易に理解できるように、例として添付図面を参照する。
【図面の簡単な説明】
【００５３】
【図１Ａ】本発明の第１実施形態に係る梱包体の格納トレイのフレームの斜視図である。
【図１Ｂ】図１Ａのフレームとブリスター・パックとを備える、本発明の第１実施形態の格納トレイの分解斜視図である。
【図１Ｃ】ブリスター・パックがフレームに組立てられた状態の、図１Ｂの格納トレイの斜視図である。
【図２Ａ】図１Ｃの格納トレイの底面図である。
【図２Ｂ】図１Ｃの格納トレイの平面図である。
【図２Ｃ】図２Ａに示された格納トレイの部分拡大詳細図であって、ラッチ部材が係合状態となっている部分拡大詳細図である。
【図２Ｄ】図２Ｃに対応する部分拡大詳細図であるが、ラッチ部材が解除状態となっている部分拡大詳細図である。
【図３Ａ】梱包体の組立て前の、本発明の第１実施形態に係る梱包体の、図１Ｂの格納トレイおよびスリーブの分解斜視図である。
【図３Ｂ】梱包体の部分組立て後の、図３Ａの格納トレイおよびスリーブの斜視図である。
【図４Ａ】梱包体の部分組立て後の、本発明の第１実施形態に係る梱包体の、図３Ａの格納トレイおよびスリーブと、タブ部材との斜視図である。
【図４Ｂ】組立て後の、完全に閉じた状態となっている、本発明の第１実施形態に係る梱包体の斜視図である。
【図５Ａ】使用者による左右ラッチ部材の解除を示す、完全に閉じた状態となっている図４Ｂの梱包体の斜視図である。
【図５Ｂ】使用者による起動後の、完全に開いた状態となっている図５Ａの梱包体の斜視図である。
【図６Ａ】梱包体の組立て前の、本発明の第２実施形態に係る梱包体の格納トレイ、スリーブ、およびタブ部材の分解斜視図である。
【図６Ｂ】梱包体の部分組立て後の、図６Ａの格納トレイ、スリーブおよびタブ部材の斜視図である。
【図７Ａ−７Ｂ】係合状態となっている、本発明の第２実施形態に係る梱包体の安全クリップの斜視図である。
【図７Ｃ】ラッチ部材が係合状態となっている、図７Ａおよび７Ｂの安全クリップの平面図である。
【図７Ｄ】ラッチ部材が解除状態となっている、図７Ａ〜７Ｃの安全クリップの平面図である。
【図８Ａ】安全クリップが解除されている、本発明の第２実施形態に係る梱包体の斜視図である。
【図８Ｂ】安全クリップが係合し、完全に閉じた位置にある、図８Ａの梱包体の斜視図である。
【図９Ａ】使用者による安全クリップの左右ラッチ部材の解除を示す、図８Ａおよび８Ｂの梱包体の斜視図である。
【図９Ｂ】使用者による安全クリップの取り外しを示す、図８Ａ、８Ｂおよび９Ａの梱包体の斜視図である。
【図９Ｃ】使用者による安全クリップの取外しおよび起動後の、完全に開いた状態となっている図８Ａ、８Ｂ、９Ａおよび９Ｂの梱包体の斜視図である。
【図１０Ａ】本発明の第３実施形態に係る梱包体の格納トレイのフレームの斜視図である。
【図１０Ｂ】図１０Ａのフレームの平面図である。
【図１０Ｃ】本発明の第３実施形態に係る梱包体において、図１０Ａの格納トレイと交換可能に用いられ得る、変形格納トレイのフレームの斜視図である。
【図１１Ａ−１１Ｂ−１１Ｃ】本発明の第３実施形態に係る梱包体におけるラッチ部材の係合状態と解除状態との間の移動、およびラッチ部材のスリーブとの相互作用を示す、図１０Ａに示されたフレームの連続した概略部分図である。
【図１２】図１１Ａ、１１Ｂおよび１１Ｃで示されたスリーブを形成するブランクの平面図である。
【図１３Ａ】完全に閉じた状態となっている、本発明の第３実施形態に係る梱包体の斜視図である。
【図１３Ｂ】完全に開いた状態となっている、図１３Ａの梱包体の斜視図である。
【図１４Ａ】本発明の第４実施形態に係る梱包体における格納トレイのフレームの斜視図である。
【図１４Ｂ】図１４Ａのフレームの平面図である。
【図１４Ｃ】本発明の第４実施形態に係る梱包体のタブ部材の平面図である。
【図１５Ａ】本発明の第５実施形態に係る梱包体における格納トレイのフレームの斜視図である。
【図１５Ｂ】本発明の第５実施形態に係る梱包体におけるタブ部材のフレームの斜視図である。
【図１５Ｃ】図１５Ｂのフレームの平面図である。
【発明を実施するための形態】
【００５４】
図１〜５を参照すると、本発明の第１実施形態において、チャイルド・レジスタント梱包体１００は、危険物質（図示せず）を格納する格納トレイ２００の形態の支持体と、危険物質へのアクセスを阻止するスリーブ３００の形態の構造体と、格納トレイ２００を作動させるタブ部材４００とを含む。梱包体１００は、後端１０２、前端１０４、左側１０６、右側１０８、上側１１０、および下側１１２を含む。
【００５５】
図１Ａを参照すると、格納トレイ２００は、全体的に長方形の成形プラスチックフレーム２０２を含む。プラスチックフレーム２０２は、左右の横壁２０４，２０６と、前端２１０の前壁２０８と、後端２１４の後壁２１２と、フレーム２０２の上側２１８にて壁２０４，２０６，２０８，２１２から内側に突出するフランジ２１６とを有する。即ち、フレーム２０２は、ひっくり返した平鍋であり、フランジ２１６により画定された中央開口部２２０を含み、横壁２０４，２０６、前壁２０８および後壁２１２は、フランジ２１６の外縁２２２からスカート状に下方向に突出している。
【００５６】
図１Ｂおよび１Ｃに示されているように、フレーム２０２は、格納トレイ２００の全体的に長方形のブリスター・パック２２４を支持する役割を果たしている。ブリスター・パック２２４は、従来の様式で複数のブリスター２２６内に危険物質を格納し、上部ホイル・カバー側２２８、下部ブリスター側２３０、後端２３２および前端２３４を備える。ブリスター・パック２２４の上側２２８は、ブリスター・パック２２４がフレーム２０２に囲まれるように、フランジ２１６の下側２３６に接合され、ブリスター・パック２２４のブリスター２２６は下方向に突出している。ブリスター２２６の内容物は、従来の様式でフランジ２１６の中央開口部２２０を介して上方向に押し、ブリスター・パック２２４の上側２２８のホイル・カバーを破ることによりアクセスするようにしてもよい。
【００５７】
フレーム２０２およびブリスター・パック２２４はそれぞれ、各後端２１４，２３２にて、湾曲したへこみ２３８を備える。これらのへこみ２３８は、ブリスター・パック２２４をフレーム２０２に接合するときに、組立てられた格納トレイ２００が全体として当該格納トレイ２００の後端に１つの湾曲したへこみ２３８を有するように配列されている。
【００５８】
ここで図２Ａ〜２Ｄを参照すると、格納トレイ２００のフレーム２０２は、左右のラッチ部材２４０，２４２を備える。左ラッチ部材２４０は、フレーム２０２の左壁２０４のばねアーム部２４４を備える一方、右ラッチ部材２４２は、フレーム２０２の右壁２０６のばねアーム部２４６を備える。ラッチ部材２４０，２４２は、自然且つ弾性的に外方向に付勢され、左右の壁２０４，２０６のそれぞれの残りの後部２４８，２５０および前部２５２，２５４より横方向に突出している。
【００５９】
格納トレイ２００のフレーム２０２は、中央縦軸（図示せず）に関して対称である。したがって、左右のラッチ部材２４０，２４２は、互いに鏡像であり、同じ機能を果たす。後部から始まり前部へ、各ラッチ部材２４０，２４２は、付随する横壁２０４，２０６の残りの後部２４８，２５０と隣接するライブ・ヒンジ２５６，２５８と、ヒンジ２５６，２５８と隣接し、パネル２６４，２６６と直角ショルダー部２６８，２７０とを有するボタン２６０，２６２と、ショルダー部２６８，２７０から直角に梱包体１００の前端１０４の方へ突出する留め金２７２，２７４とを備える。ラッチ部材２４０，２４２の全ての構成要素は、格納トレイ２００のフレーム２０２と一体化して成形される。
【００６０】
各ラッチ部材２４０，２４２は、係合状態と解除状態との間で弾性的に移動可能である。図２Ｃおよび２Ｄを参照しながら、左ラッチ部材２４０の係合状態および解除状態の詳細を説明する。しかしながら、左右のラッチ２４０，２４２部材は同じ機能を果たすため、左ラッチ部材２４０の係合状態および解除状態についての説明は、右ラッチ部材２４２にも関連することを当業者は理解するであろう。
【００６１】
初期設定では、図２Ｃに示されているように、ライブ・ヒンジ２５６の自然の柔軟性と復元力が左ラッチ部材２４０を係合状態に付勢する。係合状態では、左ラッチ部材２４０のボタン２６０は、左壁２０４とほぼ平行に位置するボタン２６０のパネル２６４と、内側に直角に突出するボタン２６０のショルダー部２６８とともに、左壁２０４の残りの後部２４８および前部２５２より横方向に突出している。したがって、ボタン２６０は、段差または突出部２７６を形成し、この段差または突出部２７６は、後述するように、スリーブ３００の補完形成物に係合して格納トレイ２００の移動を防止し得る。留め金２７２は、ショルダー部２６８から前方に直角に突出しており、フレームの左壁２０４の残りの前部２５２と係合することにより左ラッチ部材２４０の横方向の外側への移動範囲を定める。
【００６２】
左ラッチ部材２４０のボタン２６０のパネル２６４が使用者によりライブ・ヒンジ２５６の付勢に逆らって内側に、即ち格納トレイ２００内部の方へ押されると、図２Ｄに示されているように、左ラッチ部材２４０は解除状態になる。解除状態では、ボタン２６０のライブ・ヒンジ２５６およびパネル２６４は、左の横壁２０４の残りの後部２４８および前部２５２と実質的に同一面にある一方、左ラッチ部材２４０のショルダー部２６８および留め金２７２は、格納トレイ２００内に収納される。したがって、解除状態では、左ラッチ部材２４０のボタン２６０は、格納トレイ２００の移動を防止するように作用し得る段差または突出部を形成しない。
【００６３】
要約すると、左右のラッチ部材２４０，２４２はそれぞれ、横方向に突出している係合状態と、格納トレイ２００のフレーム２０２の横壁２０４，２０６と同一面にある解除状態との間で、独立して移動し得る。
【００６４】
図３Ａおよび３Ｂを参照すると、組立てられた梱包体１００において、格納トレイ２００は、スリーブ３００内に納められている。
スリーブ３００は、平らなブランク３０２を備え、ブランク３０２は、一方の側に第１面３０４を、他方の側に第２面３０６を有し、可塑性のある板紙、プラスチック、または他の材料のシートをカットして折り目をつけることにより作製される。このブランク３０２は、前端３０８および後端３１０を備え、７つの一体化された全体的に長方形の部分３１２，３１４，３１６，３１８，３２０，３２２，３２４から構成され、各部分は、前端３０８から後端３１０に延在している。これらの部分のうちの３つ、即ち仕切り３１４、下壁３１８、および上壁３２２は比較的幅広く、４つ、即ち右の内壁３１２、左の内壁３１６、右の外壁３２０、および左の外壁３２４は比較的幅が狭い。部分３１２，３１４，３１６，３１８，３２０，３２２，３２４は全て、実質的に同じ長さであり、これらの長さは、図面では各部分の幅よりも長いが、各部分の幅よりも長い必要はない。狭い部分３１２，３１６，３２０，３２２はそれぞれ、ブランク３０２の前端近傍に全体的に長方形の穴３２６を備える一方、上壁３２２は、ブランク３０２の後端において、湾曲したへこみを備える。
【００６５】
ブランクの各部分３１２，３１４，３１６，３１８，３２０，３２２，３２４は一体化されており、折り目３３０により互いに区切られている。折り目３３０は全て、平らなブランク３０２の第１面３０４が内側に位置するように、且つ平らなブランク３０２を折り目３３０に沿ってコイル状に続けて折っていくことによりスリーブ３００が完全に折り曲げられた構成に形成されるようになされる。狭い部分３１２，３１６，３２０，３２２の各穴３２６は、折り曲げられたスリーブ３００の左右の壁３１２，３１６，３２０，３２２に左右の穴３２６を形成するように、相互に配列される。
【００６６】
スリーブ３００の仕切り３１４は、無端ベルト３３２を支持し、後述するように、この無端ベルト３３２には、格納トレイ２００とタブ部材４００とが取り付けられる。ベルト３３２は、典型的には、例えばＴｒｅｏｆａｎ  ＧＮＤという商品名で販売されているポリプロピレンといったプラスチックフィルム等のような低摩擦シート材のストリップであり、平らなブランク３０２の両面３０４，３０６上で仕切り３１４を縁どる折り目３３０と平行し、且つその折り目３３０内に配置され、仕切り３１４の前向き端部３３４および後向き端部３３６の周囲を摺動する。したがって、ベルト３３２は、長手方向のベルト径路に沿って仕切り３１４の周囲を通る。ベルト径路でのベルト３３２の位置合わせを支援するため、仕切り３１４は、後向き端部３３６において、くびれ、または切り欠き３３８を備える。
【００６７】
次の連続した図３Ａ，３Ｂ，４Ａ，４Ｂで示されているように、平らなブランク３０２を折り目３３０に沿って折り曲げて、スリーブ３００が完全に折り曲げられた構成にする前に、格納トレイ２００およびタブ部材４００は、ベルト３３２に取り付けられる。
【００６８】
図３Ａを参照すると、格納トレイ２００は、最初に、ブランク３０２の下壁３１８の第１面３０４上に配置され、フランジ２１６は、ブランク３０２から見て外方向に向いており、ラッチ部材２４０，２４２は、ブランク３０２の左右の壁３１２，３１６，３２０，３２４の各穴３２６と整列され、これらの穴内に受け入れ可能である。
【００６９】
その後、図３Ｂに示されているように、ブランク３０２の右の内壁３１２、仕切り３１４、および左の内壁３１６は、仕切り３１４のベルト３３２が格納トレイ２００と揃うように、格納トレイ２００を覆うように折り曲げられる。左ラッチ部材２４０は、左の内壁３１６の穴３２６に受け入れられる一方、右のラッチ部材２４２は、右の内壁３１２および右の外壁３２４の各穴３２６に受け入れられ、右の外壁３２４は、ブランクの右の内壁３１２に接着される。ベルト３３２は、第１接着点３４０にて格納トレイ２００に接着され、第１接着点３４０は、フレーム２０２のフランジ２１６の後部をベルト３３２と結合させる。この場合、ベルト３３２は、ブランク３０２の後端３１０近傍で仕切り３１４の第１面３０４を覆う。
【００７０】
図４Ａを参照すると、格納トレイ２００がベルト３３２にいったん固定されると、グリップ４０１または指穴（図示せず）を有する長方形の板紙パネルを備えるタブ部材４００は、第２接着点４０２においてベルト３３２に接着される。この場合、ベルト３３２は、ブランク３０２の前端３０８近傍で仕切り３１４の第２面３０６を覆う。
【００７１】
最後に、図４Ｂに示されているように、スリーブ３００の上壁３２２および外側左壁３２４は、タブ部材４００を覆うように折り曲げられている。外側左壁３２４は、配列された穴３２６とともに内側左壁３１６に接着され、梱包体１００のアセンブリを完成している。
【００７２】
組立てられた梱包体１００において、格納トレイ２００は、スリーブ３００の下部通路３４２内に納められる一方、タブ部材４００は、スリーブ３００の上部通路３４４内に納められている。スリーブ３００の仕切り３１４は、上部通路３４４と下部通路３４２とを区分している。
【００７３】
図５Ａおよび５Ｂを参照すると、組立てられた梱包体１００は、ブリスター・パック２２４の内容物にアクセス不可能である図５Ａに示された完全に閉じられた状態から、ブリスター・パック２２４の内容物にアクセス可能である図５Ｂに示された完全に開いた状態にすることができる。所望のチャイルド・レジスタンスを提供するため、ラッチ部材２４０，２４２は、梱包体１００のベルト３３２および仕切り３１４と相乗作用し、子供が梱包体１００を閉じた状態から開いた状態にすることを困難にする。それでも、たとえ病弱者または不器用であっても、大人は、梱包体１００を開けることが容易であることに気づく。
【００７４】
ラッチ部材２４０，２４２が係合状態にある場合、それぞれのボタン２６０，２６２は、スリーブ３００の側壁３１２，３１６，３２０，３２４の各穴３２６と係合し、ショルダー部２６８，２７０は、梱包体１００の前端１０４の方に向いている。したがって、ショルダー部２６８，２７０は、穴３２６のそれぞれの前端３４６に当接して、矢印Ｙの方向への格納トレイ２００の移動を防止する。格納トレイ２００がＹ方向へ移動できるのは、使用者が親指と人差し指との間できつく握る動作でボタン２６０，２６２を互いの方向に押すことにより、ラッチ部材２４０，２４２が同時に解除状態になったときに限られる。
【００７５】
欧州特許第ＥＰ１１４０６３９号に記載されているように、仕切り３１４に支持されたベルト３３２は、格納トレイ２００およびタブ部材４００の摺動を連係させている。
上述のように、左右のラッチ部材２４０，２４２が解除状態に移動された場合、タブ部材４００は、スリーブの上壁３２２と格納トレイ２００とのへこみ３２８によって補助されて、矢印Ｘの方向に引かれ得る。このようにして、タブ部材４００は、完全に閉じた状態からＸ方向に移動され、タブ部材４００が第２接着点４０２においてベルト３３２に固定されているため、ベルト３３２は仕切り３１４の回りを矢印Ｚの方向に回転する。
【００７６】
格納トレイ２００も仕切り３１４の他方の側３０４上の第1接着点３４０でベルト３３２に取り付けられているため、ベルト３３２が移動すると、格納３００トレイが矢印Ｙの方向に移動する。第１および第２接着点３４０，４０２が梱包体１００の前端１０４および後端１０２で仕切りの端部に達したとき、タブ部材４００をそれ以上矢印Ｘの方向に引くことはできず、格納トレイ２００はそれ以上Ｙ方向に移動できない。このとき、梱包体１００は、図５Ｂで示された完全に開いた状態となる。
【００７７】
タブ部材４００は、ラッチ部材２４０，２４２と相乗作用して、チャイルド・レジスタンスを提供する。梱包体１００の使用者は、ラッチ部材２４０，２４２を介してＹ方向に簡単に力を印加できない。その代わり、ブリスター・パック２２４へのアクセスを得るため、片手で左右のラッチ部材２４０，２４２を解除状態に保ったまま、同時に、もう一方の手で梱包体の他端のタブ部材４００に開ける力を印加する必要がある。格納トレイ２００をＹ方向に移動させることにより、格納トレイ２００にアクセスするために必要な力は、ベルト３３２によって反転され、ラッチ部材２４０、２４２が同時に解除される一方で、梱包体１００の反対端１０２において、反対の開ける力をＸ方向においてタブ部材４００に印加しなければならない。
【００７８】
タブ部材４００が矢印Ｙの方向に戻ると、タブ部材４００によりベルト３３２は仕切り３１４の回りを矢印Ｚとは反対の方向に回転し、格納トレイ２００は矢印Ｘの方向に移動する。接着点３４０，４０２が仕切り３１４の反対端に到達すると、格納トレイ２００のＸ方向へのさらなる移動が防止され、梱包体１００は完全に閉じた状態に戻る。
【００７９】
好ましい場合、使用者は、格納トレイ２００を矢印Ｘの方向に押して格納トレイ２００を閉じることができ、次に、タブ部材４００を引いて、スリーブ３００内に戻す。格納トレイ２００とタブ部材４００との双方が、格納トレイ２００がスリーブ３００内にアクセス不可能に納められる完全に閉じた状態に戻るという点で、効果は同じである。
【００８０】
格納トレイ２００を完全に開いた状態からスリーブ３００内に戻す場合、スリーブ３００の側壁３１２，３１６，３２０，３２４は最初に、左右のラッチ部材２４０，２４２を押し込んで解除状態にする。ボタン２６０，２６２とライブ・ヒンジ２５６，２５８との間のラッチ部材２４０，２４２の傾斜状テ―パにより、この内側への移動が可能となる。しかしながら、ラッチ部材２４０，２４２のボタン２６０，２６２が側壁３１２，３１６，３２０，３２４におけるそれぞれの付随する穴２３６に達すると、ラッチ部材２４０，２４２は、係合状態に付勢される。したがって、格納トレイ２００がＸ方向にスリーブ３００内に戻されたとき、左右のラッチ部材２４０，２４２は、スナップ式でスリーブ３００と係合する。
【００８１】
上記説明から明らかなように、仕切り３１２を囲むベルト３３２は、格納トレイ２００とタブ部材４００とを連係させるだけでなく、格納トレイ２００およびタブ部材４００の摺動範囲を定める。完全に開いた状態および完全に閉じた状態において、第１および第２接着点３４０，４０２は、梱包体の前端１０４および後端１０２の仕切り３１４の対向する両端に到達する。その結果、完全に開いた状態において、格納トレイ２００のＹ方向への移動が防止される。同様に、ベルトにより、完全に閉じた状態において、格納トレイ２００のＸ方向への移動が防止される。
【００８２】
完全に閉じた状態では、格納トレイ２００のラッチ部材２４０，２４２が格納トレイ２００のＹ方向への移動をさらに防止するため、格納トレイ２００に保持されたあらゆる危険物質は、子供には依然としてアクセス不可能である。仕切り３１４およびベルト３３２は、ラッチ部材２４０，２４２と相乗作用して、チャイルド・レジスタンスを提供する。
【００８３】
図６〜９を参照すると、本発明の第２実施形態では、チャイルド・レジスタント梱包体５００は、危険物質を格納する格納トレイ６００と、危険物質へのアクセスを阻止するスリーブ３００の形態での構造体と、格納トレイを作動させるタブ部材４００と、安全クリップ７００とを備える。梱包体５００は、後端５０２、前端５０４、左側５０６、右側５０８、上側５１０および下側５１２を備える。
【００８４】
図６Ａを参照すると、本発明の第２実施形態における梱包体の格納トレイ６００は、全体的に長方形のブリスター・パック６０２を備える。ブリスター・パック６０２は、従来の様式で危険物質を複数のブリスター６０４内に格納し、上部ホイル・カバー側６０６、（図面では見えない）下部ブリスター側、後端６１０および前端６１２を備える。ブリスター・パック６０２の後端６１０に、湾曲したへこみ６１４が設けられている。
【００８５】
本発明の第２実施形態における梱包体５００のスリーブ３００およびタブ部材４００も図６Ａに示されており、その構造は本発明の第１実施形態における梱包体１００のスリーブ３００およびタブ部材４００と同一である。同様に、図６Ａおよび６Ｂを参照すると、第２実施形態における梱包体５００のスリーブ３００、格納トレイ６００およびタブ部材４００のアセンブリは、第２実施形態における梱包体５００では格納トレイ６００のブリスター・パック６０２が第２接着点４０２でベルト３３２に直接取り付けられていることを除き、第１実施形態における梱包体１００について記述したものと同一である。これらの類似点により、第２実施形態における梱包体５００のスリーブ３００およびタブ部材４００の構造と、スリーブ３００、格納トレイ６００およびタブ部材４００のアセンブリとを説明するために、第１実施形態における梱包体１００に関する関連する説明が単に参照される。同様の部品には同様の参照番号が全体にわたって使用されている。ここで詳細に述べるように、第２実施形態における梱包体５００の格納トレイ６００はラッチ部材を備えないため、スリーブ３００の側壁３１２，３１６，３２０，３２４の各穴３２６は、安全クリップ７００がなければ非係合のままであることがわかるであろう。
【００８６】
図７Ａ〜７Ｃを参照すると、第２実施形態における梱包体５００の安全クリップ７００は、図面上でＵ字型のプラスチック・ブラケット７０２を備える。ブラケット７０２は、細長の中央パネル７０４を備え、中央パネル７０４は、当該パネル７０４の外側７１０の方を向いた外面７０８上に一体型グリップ７０６を有する。中央パネル７０４の左端７１２および右端７１４には、ブラケット７０２の平行な左右のラッチ部材７１６，７１８がそれぞれ、パネル７０４の反対の内側７２０から直角に延在している。左右のラッチ部材７１６，７１８はそれぞれ、中央パネル７０４の各端部７１２，７１４に隣接するライブ・ヒンジ７２６，７２８を有するばねアーム７２２，７２４と、ショルダー部７３８，７４０によってライブ・ヒンジ７２６，７２８から分離されて横方向に隆起したボタン７３４，７３６とを備える。
【００８７】
安全クリップ７００の左右のラッチ部材７１６，７１８は、図７Ａ〜７Ｃに示された係合状態に外向きに弾性的に付勢され、係合状態では、ラッチ部材７１６，７１８は、中央パネル７０４と実質的に直角に配置され、ボタン７３４，７３６は、ライブ・ヒンジ７２６，７２８より横方向に突出する。しかしながら、図７Ｄに示されているように内向きの側圧が印加されると、ライブ・ヒンジ７２６，７２８は、弾性的に屈曲し、左右のラッチ部材７１６，７１８は、安全クリップ７００の最大横幅が中央パネル７０４の横幅によって画定される解除状態になる。即ち、左右のラッチ部材７１６，７１８は、中央パネル７０４より横方向に突出しないように、内向きに弾性的に曲げられ得る。
【００８８】
安全クリップ７００は、本発明の第２実施形態における梱包体５００の折り曲げられたスリーブ３００を補完する。具体的には、図８Ａおよび８Ｂを参照すると、スリーブ３００、格納トレイ６００およびタブ部材４００を組み合わせた後に梱包体５００のアセンブリを完成させるため、安全クリップ７００は、スナップ式でスリーブ３００の前端３０８と係合して、左右のラッチ部材７１６，７１８は、スリーブ３００の左右の穴３２６にそれぞれ係合し、そして、中央パネル７０４は、スリーブにより画定された下部通路３４２を覆う。このように安全クリップ７００が係合されたとき、第２実施形態における梱包体５００は、図８Ｂに示されている完全に閉じた位置にある。
【００８９】
連続する図９Ａ〜９Ｃを参照すると、格納トレイ６００の内容物へのアクセスを得るため、安全クリップ７００のボタン７３４，７３６に側圧を印加してラッチ部材７１６，７１８を穴３２６から解除し、安全クリップ７００を取り外して、タブ部材４００をＸ方向に引くことにより、梱包体５００を図８Ｂおよび９Ａの完全に閉じた位置から図９Ｃに示された完全に開いた位置にすることができる。
【００９０】
第２実施形態における梱包体５００のタブ部材４００および格納トレイ６００は、本発明の第１実施形態における梱包体１００のタブ部材４００および格納トレイ２００と全く同様に、仕切り３１４を囲むベルト３３２により連係されている。安全クリップ７００がいったん取り外されたときの格納トレイ６００およびタブ部材４００の移動については、やはり第１実施形態における梱包体１００についての上述の対応する説明が再度参照される。
【００９１】
仕切り３１４を囲むベルト３３２は、格納トレイ６００とタブ部材４００とを連係させるだけでなく、格納トレイ６００およびタブ部材４００の摺動の範囲を定める。第１および第２接着点３４０，４０２は、完全に開いた状態および完全に閉じた状態において梱包体の前部５０４および後部５０２の仕切り３１４の対向する両端に到達する。その結果、完全に開いた状態において、格納トレイ６００のＹ方向への移動が防止される。同様に、ベルト３３２により、完全に閉じた状態において、格納トレイ６００のＸ方向への移動が防止される。
【００９２】
完全に閉じた状態では、中央パネル７０４がスリーブ３００の下部通路３４２の前端５０４を塞ぐため、安全クリップ７００は格納トレイ６００のＹ方向への移動をさらに防止する。したがって、安全クリップ７００が取り外され、タブ部材４００がＸ方向に引かれるまで、格納トレイ６００に保持されたあらゆる危険物質は、依然として子供にとってはアクセス不可能である。したがって、仕切り３１４およびベルト３３２は、安全クリップ７００と相乗作用してチャイルド・レジスタンスを提供する。
【００９３】
図１０Ａ〜１３Ｂを参照すると、本発明の第３実施形態では、チャイルド・レジスタント梱包体８００は、危険物質（図示せず）を格納する格納トレイ８５０の形態での支持体、危険物質へのアクセスを阻止するスリーブ９００の形態での構造体、および格納トレイ８５０を作動させるタブ部材９５０とを備える。梱包体８００は、後端８０２、前端８０４、左側８０６、右側８０８、上側８１０、および下側８１２とを備える。
【００９４】
図１０Ａおよび１０Ｂを参照すると、本発明の第３実施形態に係る梱包体８００における格納トレイ８５０の構造は、右および左のラッチ部材８５２，８５４の位置および構造と、ブレースまたは支柱８５５の追加とを除けば、本質的に、本発明の第１実施形態に係る梱包体１００の格納トレイ２００の構造と同一である。図１０Ａ〜１３Ｂに図示されていないが、格納トレイ８５０もブリスター・パックを備える。
【００９５】
本発明の第３実施形態に係る梱包体８００における格納トレイ８５０の同一の特徴を重複せずに説明するには、第１実施形態に関する上述の説明の関連する部分が単に参照される。図１０Ａ〜１３Ｂでは同様の部品には同様の参照番号が用いられている。
【００９６】
本発明の第３実施形態に係る梱包体８００における格納トレイ８５０のラッチ部材８５２，８５４の異なる構造について以下に詳細に説明する。
格納トレイ８５０のフレーム２０２は、中央縦軸（図示せず）に関して対称である。したがって、左右のラッチ部材８５２，８５４は互いに鏡像であり、同じ機能を果たす。各ラッチ部材８５２，８５４は、フレーム２０２のフランジ２１６における切り欠き８５６，８５８の各々により画定されている。具体的には、切り欠き８５６，８５８は、フレーム２０２の弾力性のある左右の壁２０４，２０６の左右の可動部８６０，８６２の内向きの移動の間隔をそれぞれ画定し、提供する。部８６０，８６２はそれぞれ、一体化された係合形成物８６４，８６６を備え、ラッチ部材８５２，８５４を形成している。係合形成物８６４，８６６はそれぞれ、傾斜８６８と前方に向いたショルダー部８７０とを備え、格納トレイ８５０の前端２１０と後端２１４との間の実質的な中央に配置されている。
【００９７】
上記説明から明らかなように、本発明の第１実施形態に係る梱包体１００のラッチ部材２４０，２４２と比べると、本発明の第３実施形態に係る梱包体８００のラッチ部材８５２，８５４はそれぞれ、付随する横壁２０４，２０６と隣接する１つではなく２つのライブ・ヒンジ８７２，８７４を備える。さらに、ラッチ部材８５２，８５４は、異なる位置、即ち格納トレイ８５０の前端２１０と後端２１４との間の実質的な中央に配置される。
【００９８】
ラッチ部材８５２，８５４はそれぞれ、係合状態と解除状態との間で弾性的に移動可能である。右のラッチ部材８５４の係合状態および解除状態の詳細を、図１１Ａ〜１１Ｃを参照しながら以下に説明する。左右のラッチ部材８５２，８５４の機能は同じであるため、右のラッチ部材８５４の係合状態および解除状態の説明は、左ラッチ部材８５２にも関連することを当業者は理解するであろう。
【００９９】
初期設定では、図１１Ａに示されているように、ライブ・ヒンジ８７２，８７４の自然の弾力性と復元力は、右ラッチ部材８５４を外方向に付勢して係合状態にする。係合状態においては、右ラッチ部材８５４の係合形成物８６４は、前方を向いた直角ショルダー部８７０とともに、格納トレイ８５０の右壁２０６の残りの後部２５０および前部２５４より横方向に突出している。したがって、係合形成物８６４は、段差または突出部を形成し、この段差または突出部は、後述するように、格納トレイ８５０の移動を防止するため、スリーブ９００の補完形成物に係合してもよい。
【０１００】
右のラッチ部材８５４の係合形成物８６４が使用者により内側へ、即ち格納トレイ８５０の内部の方にライブ・ヒンジ８７２，８７４の付勢に逆らって押されると、右のラッチ部材８５４は、図１１Ｂおよび１１Ｃに示されている解除状態となる。解除状態では、係合形成物８６４は、右の横壁２０６の残りの後部２５０および前部２５４と実質的に同一面にある一方、ショルダー部８７０は、全体的に長方形の格納トレイ８５０内に収容される。したがって、解除状態では、係合形成物８６４は、格納トレイ８５０の移動を防止するように作用し得る段差または突出部を形成せず、図１１Ｃに示されているように、格納トレイはスリーブに対して移動することができる。
【０１０１】
要約すると、左右のラッチ部材８５２，８５４はそれぞれ、当該ラッチ部材８５２，８５４が横方向に突出している係合状態と、当該ラッチ部材８５２，８５４が格納トレイ８５０におけるフレーム２０２の横壁２０４，２０６と実質的に同一面にある解除状態との間で独立して移動し得る。
【０１０２】
再び図１０Ａおよび１０Ｂを参照すると、ブリスター・パック（図示せず）にさらなる支持を提供するため、格納トレイ８５０のフレーム２０２は、支柱８５５を備え、支柱８５５は、フランジ２１６を補完し、格納トレイ８５０の後端２１４から前端２１０まで中央を延在する。支柱８５５は、必須ではなく、省略可能、または他の形態の支持体と置換可能である。図示により、図１０Ｃは、格納トレイ８５０の変形例８５０Ｖを示し、変形例８５０Ｖでは、フレーム２０２は、支柱の代わりに円形穴８５９を備える支持ウェブ８５７を備えるように変更されている。円形穴８５９によって、材料の使用量を減らしながら、支持されたブリスター・パック（図示せず）の内容物へのアクセスが可能となり、支持ウェブ８５７はさらなる支持力を提供する。この格納トレイ８５０の変形例８５０Ｖは、本発明の第３実施形態に係る梱包体８００における図１０Ａおよび１０Ｂの格納トレイ８５０と交換可能に使用されてもよい。
【０１０３】
図１２を参照すると、本発明の第３実施形態に係る梱包体８００のスリーブ９００は、スリーブの右および左の内壁３１２，３１６だけが穴９０２を備え（右および左の外壁はカバーとして機能する）、且つ穴９０２の位置が異なる点を除けば、本発明の第１実施形態に係る梱包体１００のスリーブ３００と本質的に同一である。
【０１０４】
本発明の第３実施形態に係る梱包体８００のスリーブ９００の同一の特徴を重複せずに説明するには、第１実施形態に関する上述の説明の関連する部分が単に参照される。図１１Ａ〜１３Ｂでは、同様の部品には同様の参照番号が用いられている。
【０１０５】
本発明の第３実施形態に係る梱包体８００のスリーブ９００の右および左の内壁３１２，３１６および外壁３２０，３２４の異なる構造を、図１２を参照しながら以下に詳細に説明する。
【０１０６】
前述のように、スリーブの右の内壁３１２および左の内壁３１６は、左右の穴９０２を備える。長方形の穴９０２はそれぞれ、スリーブ９００の後部の方へわずかにずれた位置に配置されている。右の外壁３２０および左の外壁３２４は、穴を備えておらず、スリーブを組立てると穴９０２のカバーの役割を果たす。具体的には、組立てられたスリーブ９００では、右および左の外壁３２０，３２４は、右および左の内壁３１２，３１６と重なるため、右および左の内壁３１２，３１６における穴９０２は、右および左の外壁３２０，３２４の弾力性のあるカバー部９０４に覆われる。カバー部９０４は、一体化されているが、（必須要件ではないが）折り目９０５により区切られており、右および左の外壁３２０，３２４と同一面にある。
【０１０７】
本発明の第３実施形態に係る梱包体８００のアセンブリは、格納トレイ８５０のラッチ部材８５２，８５４が内部の側壁３１２，３１６における穴９０２のみと係合し、外部の側壁３２０，３２４は、カバーとして機能する点を除けば、本発明の第１実施形態に係る梱包体１００のアセンブリと本質的に同一である。梱包体８００のタブ部材９５０は、本発明の第１実施形態に係る梱包体１００のタブ部材４００と同じ構造を有する。
【０１０８】
本発明の第３実施形態に係る梱包体８００の、タブ部材９５０の同一の構造とアセンブリの同一の局面とを重複せずに説明するには、第１実施形態に関する上述の説明の関連する部分が単に参照される。図１０Ａ〜１３Ｂでは、同様の部品には同様の参照番号が用いられている。図１２では、スリーブ９００の第２の外向き側３０６上に配置された第２接着点４０２が破線で示されている。
【０１０９】
図１３Ａおよび１３Ｂを参照すると、組立てられた梱包体８００では、格納トレイ８５０は、スリーブ９００の下部通路３４２内に収納される一方、タブ部材９５０は、スリーブ９００の上部通路３４４内に収納されている。スリーブ９００の仕切り３１４は、上部通路３４４と下部通路３４２とを分離する。
【０１１０】
組立てられた梱包体８００は、格納トレイ８５０（例えば、ブリスター・パック（図示せず））の内容物にアクセス不可能である図１３Ａに示された完全に閉じられた状態から、格納トレイ８５０の内容物にアクセス可能である図１３Ｂに示された完全に開いた状態にすることができる。所望のチャイルド・レジスタンスを提供するため、以下に説明するように、ラッチ部材８５２，８５４およびカバー部９０４は（単独で、および梱包体８００のベルト３３２および仕切り３１４と相乗作用して）、子供が梱包体８００を完全に閉じた状態から完全に開いた状態にすることを困難にする。それでも、たとえ病弱者または不器用であっても、大人は梱包体８００を容易に開けることに気づく。
【０１１１】
ラッチ部材８５２，８５４が係合状態にあるとき、ラッチ部材８５２，８５４の係合形成物８６４，８６６は、スリーブ３００の右および左の内部側壁３１２，３１６の穴９０２と係合し、ショルダー部８７０は、梱包体８００の前端８０４の方を向く。したがって、図１１Ａで概略的に示されているように、格納トレイ８５０の図１３Ａおよび１３Ｂ中の矢印Ｙの方向への移動を防止するため、ショルダー部８７０は、穴９０２のそれぞれの前端９０６に当接する。右および左の外壁３２０，３２４のカバー部９０４は、ラッチ部材８５２，８５４を使用者から隠す。
【０１１２】
格納トレイ８５０がＹ方向に移動可能となるのは、図１１Ｂに概略的に示されているように、使用者が例えば親指と人差し指との間のきつく握る動作で外壁３２０，３２４のカバー部９０４を互いの方向に押すことにより、ラッチ部材８５２，８５４が同時に解除状態になるときだけである。外壁３２０，３２４のカバー部９０４は弾力性があるため、カバー部９０４は、ラッチ部材８５２，８５４と協働してラッチ部材８５２，８５４を解除状態にする。
【０１１３】
我々の欧州特許第ＥＰ１１４０６３９号に記載されているように、仕切り３１４により支持されたベルト３３２は、格納トレイ８５０およびタブ部材９５０の摺動を連係させる。
【０１１４】
再び図１３Ａおよび１３Ｂを参照すると、上述のように、カバー部９０４と協働した結果、左右のラッチ部材８５２，８５４が解除状態に移動したら、スリーブの上壁３２２および格納トレイ８５０のへこみ３２８により補助されて、タブ部材９５０は矢印Ｘの方向に引かれ得る。したがって、タブ部材９５０は、完全に閉じた状態からＸ方向に移動され得り、タブ部材９５０は、第２接着点４０２でベルト３３２に固定されているため、ベルト３３２は、仕切り３１４の周囲を矢印Ｚの方向に回転する。
【０１１５】
格納トレイ８５０も仕切り３１４の他方の側３０４上の第１接着点３４０でベルト３３２に取り付けられているため、ベルト３３２の移動により、格納トレイ８５０が矢印Ｙの方向に移動する。穴９０２からいったん解除されると、ラッチ部材８５２，８５４は、（図１１Ｂに図示されているように）スリーブ９００の側壁３１２，３１６，３２０，３２４により、スリーブ９００から全体が解除されるまで内側に解除状態に保持され、ライブ・ヒンジ８７２，８７４によって外側に戻るように付勢される。第１および第２接着点３４０，４０２が梱包体８００の前端８０４および後端８０２において仕切りの端部に達すると、タブ部材９５０をそれ以上矢印Ｘの方向に引くことはできず、格納トレイ８５０はそれ以上Ｙ方向に移動できない。このとき、梱包体８００は、図１３Ｂに示された完全に開いた状態になる。
【０１１６】
タブ部材９５０が矢印Ｙの方向に戻ると、タブ部材９５０によってベルト３３２が仕切り３１４の周囲を矢印Ｚと反対方向に回転し、格納トレイ８５０が矢印Ｘの方向に移動する。接着点３４０，４０２が仕切り３１４の対向する両端に達すると、格納トレイ８５０のＸ方向へのさらなる移動は防止され、梱包体８００は完全に閉じた状態に戻る。
【０１１７】
好ましい場合、使用者は格納トレイ８５０を矢印Ｘの方向に押して格納トレイ８５０を閉じ、次に、タブ部材９５０を引いてスリーブ９００内に戻すことができる。格納トレイ８５０とタブ部材９５０との双方が図１３Ａで示された完全に閉じた状態に戻り、格納トレイ８５０がスリーブ９００内にアクセス不可能に収納されるという点で、効果は同じである。
【０１１８】
格納トレイ８５０が完全に開いた状態からスリーブ９００内に戻ると、スリーブ９００の側壁３１２，３１６，３２０，３２４は最初に、左右のラッチ部材８５２，８５４を押して解除状態となる。ラッチ部材８５２，８５４の傾斜８６８は、この内向きの移動を容易にし、ライブ・ヒンジ８７２，８７４の付勢に逆らってラッチ部材８５２，８５４を徐々に解除状態に案内する役割を果たす。しかしながら、ラッチ部材８５２，８５４の係合形成物８６４，８６６が内側の側壁３１２，３１６のそれぞれの付随する穴９０２に達すると、係合形成物８６４，８６６は、ライブ・ヒンジ８７２，８７４の付勢により係合状態に移動する。したがって、格納トレイ８５０がＸ方向にスリーブ９００内に完全に戻ったとき、左右のラッチ部材８６４，８６６は、スナップ式でスリーブ９００と係合する。
【０１１９】
ラッチ部材８５２，８５４を隠すカバー部９０４は、第１レベルのチャイルド・レジスタンスを提供する。梱包体８００を開くには、使用者は、ラッチ部材８５２，８５４を解除状態に移動させるためにカバー部９０４を作動させる必要があることを最初に理解しなければならない。特にカバー部９０４が一体化されており、且つ外側の左右の側壁３２０，３２４と同一面にあってラッチ部材８５２，８５４全体を隠しているため、一般的に、このような理解は子供にはない。
【０１２０】
子供にとって開けにくい梱包体は大人にとっても困難である場合が多いという矛盾に対処する一助となるため、カバー部９０４は、例えば文字でマーキングされてもよく、例えば梱包体８００のスリーブ９００上に、ラッチ部材８５２，８５４を解除状態にする方法に関する注意書きを提供してもよい。したがって、カバー部は、ラッチ部材８５２，８５４の位置を示しながら、ラッチ部材を隠すことが可能である。
【０１２１】
タブ部材９５０、ベルト３３２、ラッチ部材８５２，８５４、およびカバー部９０４の間の相乗効果により、さらなるチャイルド・レジスタンスが提供される。使用者が梱包体８００を開けるためにカバー部９０４を押す必要があることを理解したとしても、カバー部９０４だけを介して格納トレイ８５０を開くことはできない。代わりに、格納トレイ８５０へのアクセスを得るためには、カバー部９０４を内側に押すことにより左右のラッチ部材８５２，８５４を片手で解除状態に保持し、同時に、もう一方の手で梱包体８００の反対端のタブ部材９５０に開ける力を印加する必要がある。
【０１２２】
格納トレイ８５０をＹ方向に移動させることにより、格納トレイ８５０にアクセスするために必要な力は、ベルト３３２により反転され、ラッチ部材８５２，８５４を同時に解除しながら、梱包体８００の反対端８０２でタブ部材９５０に反対の開ける力をＸ方向に印加しなければならない。（カバー部９０４により）ラッチ部材８５２，８５４を解除状態に保持することと、タブ部材９５０が格納トレイ８５０の移動方向に対して反対に移動することとの間の連係を理解する必要性が、さらなるチャイルド・レジスタンスを提供する。
【０１２３】
上述の説明から明らかなように、仕切り３１２を囲むベルト３３２は、格納トレイ８５０とタブ部材９５０との連係に加え、格納トレイ８５０およびタブ部材９５０の摺動の範囲を定める。完全に開いた状態および完全に閉じた状態で、第１および第２接着点３４０，４０２は、梱包体の前端８０４および後端８０２で仕切り３１４の対向する両端に達する。その結果、完全に開いた状態において、格納トレイ８５０のＹ方向への移動が防止される。同様に、ベルトにより、完全に閉じた状態において、格納トレイ８５０のＸ方向への移動が防止される。
【０１２４】
完全に閉じた状態では、さらに格納トレイ８５０のラッチ部材８５２，８５４により格納トレイ８５０のＹ方向への移動が防止されるため、格納トレイ８５０に保持されたあらゆる危険物質は、依然として子供にとってはアクセス不可能である。仕切り３１４およびベルト３３２は、ラッチ部材８５２，８５４と相乗作用して、チャイルド・レジスタンスを提供する。
【０１２５】
前述のように、これまで述べてきた特定の実施形態に係る梱包体は例示にすぎない。添付の特許請求の範囲に定義された本発明の範囲内で数多くの修正を行ってもよい。いくつかの修正例を示すため、本発明のさらなる２つの実施例を以下に説明する。
【０１２６】
図１４Ａ〜１４Ｃを参照すると、本発明の第４実施形態では、チャイルド・レジスタント梱包体は、以下に説明する特定の修正を除き、構造、アセンブリおよび操作において本発明の第３実施形態に係る梱包体８００と同一である。図１４Ａ〜１４Ｃでは、同様の部品に同様の参照番号が用いられている。
【０１２７】
本発明の第４実施形態に係る梱包体は、修正された格納トレイ８５０Ａ（ブリスター・パックなしで、図１４Ａおよび１４Ｂに図示）、修正されたタブ部材９５０Ａ（図１４Ｃに図示）、および修正されたスリーブ（図示せず）を備える。
【０１２８】
修正された格納トレイは、当該格納トレイの後端８５２Ａに拡大された湾曲したへこみ２３８Ａを備え、このへこみ２３８Ａにより、梱包体が完全に閉じられた状態のときに修正されたタブ部材９５０Ａに形成された指穴９５２Ａへのアクセスが可能となる。修正されたスリーブは、当該スリーブの上壁に同様に拡大されたへこみを備え、このへこみにより、完全に閉じた状態で指穴９５２Ａにアクセスできる。
【０１２９】
修正されたタブ部材９５０Ａは、指穴９５２Ａにより平らなタブ部材より握りやすいので、梱包体のベルト、ラッチ部材およびカバー部と組み合わせると特に上手く機能し、高齢者または病弱者にとってのアクセス性を妥協することなくチャイルド・レジスタンスを提供する。本発明の第３実施形態に関して説明された利点が準用される。
【０１３０】
図１５Ａ〜１５Ｃを参照すると、本発明の第５実施形態では、チャイルド・レジスタント梱包体は、以下に説明された特定の修正を除き、構造、アセンブリおよび操作において本発明の第３実施形態に係る梱包体８００と同一である。図１５Ａ〜１５Ｃでは同様の部品に同様の参照番号が用いられている。
【０１３１】
本発明の第５実施形態に係る梱包体は、修正された格納トレイ８５０Ｂ（ブリスター・パックなしで、図１５Ａに図示）と、修正されたタブ部材９５０Ｂ（図１５Ｂおよび１５Ｃに図示）と、修正されたスリーブ（図示せず）とを備える。
【０１３２】
修正されたタブ部材９５０Ｂは、第２ブリスター・パック（図１５Ｂおよび１５Ｃに図示せず）の支持体として機能する。具体的には、修正されたタブ部材９５０Ｂがラッチ部材を備えず、湾曲したへこみの代わりに当該タブ部材９５０Ｂの後端９５４Ｂに上方を向いた指状ウェル９５２Ｂを含み、当該タブ部材９５０Ｂの前端９５８Ｂ近傍でベルト３３２をフランジ２１６に取り付けるための延長支持領域９５６Ｂを備えることを除き、修正されたタブ部材は、構造において、本発明の第３実施形態の格納トレイ８５０と同一である。重複を避けるため、図１５Ｂおよび１５Ｃでは、修正されたタブ部材９５０Ｂの同様の部品には、本発明の第３実施形態に係る梱包体８００の格納トレイ８５０に基づいた同様の参照番号が用いられており、上述の説明の関連する部分が参照される。
【０１３３】
修正された格納トレイ８５０Ｂは、当該格納トレイ８５０Ｂの後端８５２Ｂに湾曲したへこみを備えていないことを除き、本発明の第３実施形態の格納トレイ８５０と同一である。修正されたタブ部材の指状ウェル９５２Ｂが組立てられた梱包体では上方を向いていることで下方からアクセスされないため、湾曲したへこみは不要とされている。
【０１３４】
本発明の第５実施形態に係る梱包体の修正されたスリーブは、より深い上部通路３４４を画定する、より幅広の左右の外側壁により、修正されたタブ部材９５０Ｂを収容する。
本発明の第５実施形態に係る梱包体は、好適に、依然として高レベルのチャイルド・レジスタンスを提供しながら、危険物質用として使用可能な格納空間を倍増させる。さらに、本発明の第３実施形態について説明された利点が準用される。
【０１３５】
上述の本発明の様々な例示的な実施形態の構成要素は、添付の特許請求の範囲で定義された本発明の範囲から逸脱することなく、置き換えることができる。例えば、ラッチ部材の中央位置は、必ずしもカバーの提供に関連付けられない。第１または第２実施形態で説明されたずれた位置で第３〜第５実施形態に関して説明された種類のラッチ部材を提供することは可能である。
【０１３６】
同様に、ラッチ部材がバリア部材によって支持された第２実施形態の梱包体は、第３〜第５実施形態について説明された種類の隠蔽カバーを含むように修正することができるであろう。さらに、第１、第２、第３または第４実施形態のタブ部材は、本発明の第５実施形態について上述したように支持体として機能するように修正されてもよい。
【０１３７】
実際、タブ部材がブリスター・パックを支持するか否かに拘わらず、ラッチ部材、または１つまたは複数のさらなるラッチ部材がタブ部材によって支持されることさえ可能である。
【図１Ａ】
2010536671.tif 000003
【図１Ｂ】
2010536671.tif 000004
【図１Ｃ】
2010536671.tif 000005
【図２Ａ】
2010536671.tif 000006
【図２Ｂ】
2010536671.tif 000007
【図２Ｃ】
2010536671.tif 000008
【図２Ｄ】
2010536671.tif 000009
【図３Ａ】
2010536671.tif 000010
【図３Ｂ】
2010536671.tif 000011
【図４Ａ】
2010536671.tif 000012
【図４Ｂ】
2010536671.tif 000013
【図５Ａ】
2010536671.tif 000014
【図５Ｂ】
2010536671.tif 000015
【図６Ａ】
2010536671.tif 000016
【図６Ｂ】
2010536671.tif 000017
【図７Ａ】
2010536671.tif 000018
【図７Ｂ】
2010536671.tif 000019
【図７Ｃ】
2010536671.tif 000020
【図７Ｄ】
2010536671.tif 000021
【図８Ａ】
2010536671.tif 000022
【図８Ｂ】
2010536671.tif 000023
【図９Ａ】
2010536671.tif 000024
【図９Ｂ】
2010536671.tif 000025
【図９Ｃ】
2010536671.tif 000026
【図１０Ａ】
2010536671.tif 000027
【図１０Ｂ】
2010536671.tif 000028
【図１０Ｃ】
2010536671.tif 000029
【図１１Ａ】
2010536671.tif 000030
【図１１Ｂ】
2010536671.tif 000031
【図１１Ｃ】
2010536671.tif 000032
【図１２】
2010536671.tif 000033
【図１３Ａ】
2010536671.tif 000034
【図１３Ｂ】
2010536671.tif 000035
【図１４Ａ】
2010536671.tif 000036
【図１４Ｂ】
2010536671.tif 000037
【図１４Ｃ】
2010536671.tif 000038
【図１５Ａ】
2010536671.tif 000039
【図１５Ｂ】
2010536671.tif 000040
【図１５Ｃ】
2010536671.tif 000041
【国際調査報告】
2010536671.tif 000042
2010536671.tif 000043
2010536671.tif 000044
2010536671.tif 000045